(57)【要約】【課題】チャプターを利用して、ユーザに通常再生とは異なる方法でコンテンツデータを提示する。【解決手段】  チャプター表示画面２３１には、チャプター表示が指令されたコンテンツデータにおいて、チャプターで区切られたそれぞれの区間のうち、ユーザにより選択された区間の動画像を繰り返し表示させる動画像表示エリア２５１、動画像表示エリア２５１に動画像が表示されている区間の前後のチャプターに対応するサムネイル画像を表示するサムネイル画像表示エリア２５２、ユーザにより選択された区間の先頭に設定されているチャプターの関連情報を表示するチャプター関連情報表示エリア２５３、ユーザの操作入力を受けるためのツールバー２６１、並びに、所定のオプションメニューウィンドウを表示させるためのメニュー表示ボタン２６２が備えられている。本発明は、記録再生装置に適用できる。【選択図】図１１
2006086612.tif 000002
【特許請求の範囲】
【請求項１】
コンテンツデータを再生する情報処理装置において、
ユーザの操作入力を取得する操作入力取得手段と、
前記コンテンツデータに設定されたチャプターに関する情報の取得を制御するチャプター情報取得制御手段と、
前記コンテンツデータに含まれるビデオデータの取得を制御するビデオデータ取得制御手段と、
前記チャプター情報取得制御手段により取得が制御された前記チャプターに関する情報、および、前記ビデオデータ取得制御手段により取得が制御された前記ビデオデータを基に、前記チャプターに対応するサムネイル画像を生成するサムネイル画像生成手段と、
前記チャプター情報取得制御手段により取得が制御された前記チャプターに関する情報、および、前記ビデオデータ取得制御手段により取得が制御された前記ビデオデータを基に、前記操作入力取得手段により取得された前記ユーザの操作入力により選択された第１のチャプターと前記第１のチャプターの次に設定された第２のチャプターとの間の区間の動画像の表示を制御する動画像データ表示制御手段と、
前記サムネイル画像生成手段により生成された前記サムネイル画像の表示を制御するサムネイル画像データ表示制御手段と、
前記動画像データ表示制御手段により表示が制御される前記動画像と、前記サムネイル画像データ表示制御手段により表示が制御される前記サムネイル画像とを同時に表示させるための第１の表示画面の表示を制御する表示画面制御手段と
を備えることを特徴とする情報処理装置。
【請求項２】
前記サムネイル画像データ表示制御手段は、前記ユーザにより選択された前記第１のチャプター以外のチャプターに対応する前記サムネイル画像の表示を制御する
ことを特徴とする請求項１に記載の情報処理装置。
【請求項３】
前記表示画面制御手段は、前記動画像データ表示制御手段により表示が制御される前記動画像と前記サムネイル画像データ表示制御手段により表示が制御される前記サムネイル画像とが、前記第１の表示画面において時系列に並んで配置されるように、前記第１の表示画面の表示を制御する
ことを特徴とする請求項２に記載の情報処理装置。
【請求項４】
前記表示画面制御手段は、前記第１の表示画面に表示が制御される前記動画像と前記サムネイル画像とにおいて、前記動画像が端部以外に配置されて表示されるように、前記第１の表示画面の表示を制御する
ことを特徴とする請求項３に記載の情報処理装置。
【請求項５】
前記操作入力取得手段により前記第１のチャプターの選択を変更する前記ユーザの操作入力が取得された場合、
前記動画像データ表示制御手段は、前記ユーザにより新たに選択された前記第１のチャプターと前記第２のチャプターとの間の区間の動画像の表示を制御し、
前記サムネイル画像データ表示制御手段は、前記ユーザにより新たに選択された前記第１のチャプター以外のチャプターに対応する前記サムネイル画像の表示を制御し、
前記表示画面制御手段は、前記動画像の表示位置が変更されないように、前記第１の表示画面の表示を制御する
ことを特徴とする請求項３に記載の情報処理装置。
【請求項６】
前記表示画面制御手段は、前記動画像データ表示制御手段により表示が制御される前記動画像のみが全画面に表示される第２の表示画面の表示を更に制御する
ことを特徴とする請求項１に記載の情報処理装置。
【請求項７】
前記チャプター情報取得制御手段の処理により取得が制御された前記チャプターに関する情報に基づいて、前記第１のチャプターに関する情報の表示を制御するチャプター情報表示制御手段
を更に備えることを特徴とする請求項１に記載の情報処理装置。
【請求項８】
前記サムネイル画像生成手段は、前記コンテンツに対応するサムネイル画像データを更に生成し、
前記サムネイル画像データ表示制御手段は、前記サムネイル画像生成手段により生成された前記コンテンツに対応するサムネイル画像データの表示を更に制御し、
前記表示画面制御手段は、前記サムネイル画像生成手段により生成された前記コンテンツに対応するサムネイル画像データが表示される第２の表示画面の表示を更に制御する
ことを特徴とする請求項１に記載の情報処理装置。
【請求項９】
前記コンテンツデータに前記チャプターを設定するチャプター設定手段
を更に備えることを特徴とする請求項１に記載の情報処理装置。
【請求項１０】
コンテンツデータを再生する情報処理装置の情報処理方法において、
動画像とサムネイル画像とを同時に表示させるための表示画面の表示を制御する表示画面制御ステップと、
前記コンテンツデータに設定されたチャプターに関する情報の取得を制御するチャプター情報取得制御ステップと、
前記チャプター情報取得制御ステップの処理により取得が制御された前記チャプターに関する情報を基に、前記チャプターに対応するサムネイル画像を生成するサムネイル画像生成ステップと、
前記サムネイル画像生成ステップの処理により生成された前記サムネイル画像の前記表示画面への表示を制御するサムネイル画像データ表示制御ステップと、
前記チャプター情報取得制御ステップの処理により取得が制御された前記チャプターに関する情報を基に、前記コンテンツデータに含まれるビデオデータのうち、ユーザより選択された第１のチャプターと前記第１のチャプターの次に設定された第２のチャプターとの間の区間のビデオデータの取得を制御するビデオデータ取得制御ステップと、
前記ビデオデータ取得制御ステップの処理により取得が制御された前記ビデオデータを基に、前記第１のチャプターと前記第２のチャプターとの間の区間の動画像の前記表示画面への表示を制御する動画像データ表示制御ステップと
を含むことを特徴とする情報処理方法。
【請求項１１】
コンテンツデータを再生する処理をコンピュータに実行させるためのプログラムであって、
動画像とサムネイル画像とを同時に表示させるための表示画面の表示を制御する表示画面制御ステップと、
前記コンテンツデータに設定されたチャプターに関する情報の取得を制御するチャプター情報取得制御ステップと、
前記チャプター情報取得制御ステップの処理により取得が制御された前記チャプターに関する情報を基に、前記チャプターに対応するサムネイル画像を生成するサムネイル画像生成ステップと、
前記サムネイル画像生成ステップの処理により生成された前記サムネイル画像の前記表示画面への表示を制御するサムネイル画像データ表示制御ステップと、
前記チャプター情報取得制御ステップの処理により取得が制御された前記チャプターに関する情報を基に、前記コンテンツデータに含まれるビデオデータのうち、ユーザより選択された第１のチャプターと前記第１のチャプターの次に設定された第２のチャプターとの間の区間のビデオデータの取得を制御するビデオデータ取得制御ステップと、
前記ビデオデータ取得制御ステップの処理により取得が制御された前記ビデオデータを基に、前記第１のチャプターと前記第２のチャプターとの間の区間の動画像の前記表示画面への表示を制御する動画像データ表示制御ステップと
を含むことを特徴とする処理をコンピュータに実行させるためのプログラムが記録された記録媒体。
【請求項１２】
コンテンツデータを再生する処理をコンピュータに実行させるためのプログラムであって、
動画像とサムネイル画像とを同時に表示させるための表示画面の表示を制御する表示画面制御ステップと、
前記コンテンツデータに設定されたチャプターに関する情報の取得を制御するチャプター情報取得制御ステップと、
前記チャプター情報取得制御ステップの処理により取得が制御された前記チャプターに関する情報を基に、前記チャプターに対応するサムネイル画像を生成するサムネイル画像生成ステップと、
前記サムネイル画像生成ステップの処理により生成された前記サムネイル画像の前記表示画面への表示を制御するサムネイル画像データ表示制御ステップと、
前記チャプター情報取得制御ステップの処理により取得が制御された前記チャプターに関する情報を基に、前記コンテンツデータに含まれるビデオデータのうち、ユーザより選択された第１のチャプターと前記第１のチャプターの次に設定された第２のチャプターとの間の区間のビデオデータの取得を制御するビデオデータ取得制御ステップと、
前記ビデオデータ取得制御ステップの処理により取得が制御された前記ビデオデータを基に、前記第１のチャプターと前記第２のチャプターとの間の区間の動画像の前記表示画面への表示を制御する動画像データ表示制御ステップと
を含むことを特徴とする処理をコンピュータに実行させるためのプログラム。
【発明の詳細な説明】
【技術分野】
【０００１】
本発明は、情報処理装置および情報処理方法、記録媒体、並びに、プログラムに関し、特に、コンテンツに設定されたチャプターを利用して、ユーザがよりわかりやすいようにコンテンツを提示することができる情報処理装置および情報処理方法、記録媒体、並びに、プログラムに関する。
【背景技術】
【０００２】
例えば、ＤＶＤなどの記録媒体を用いて配布されたり、インターネットなどのネットワークを介して配布される映画やビデオクリップなどのコンテンツデータには、チャプター（Chapter）と称される特定の頭出し点が設定されている。チャプターは、例えば、映画であれば、見どころのシーンの始まりや、ストーリの切れ目の点であり、ＣＤなどにおけるトラックのように、映像や曲の切れ目等を表す点に設定されるものである。映画やビデオクリップなどのコンテンツにおいては、１タイトル（例えば、映画１本、アルバム１枚分のビデオクリップなど）中に数箇所、販売者が、作品上頭出しができるようにしておきたい区切り点として、例えば、映画ならシーンの変わり目など、ビデオクリップなら曲の切れ目などに、チャプターが予め設定されて販売されている。コンテンツデータを再生する再生装置において、チャプターメニューとして、チャプターに対応するコメントやサムネイル画像が表示され、ユーザがそれらのうちのいずれかを選択することにより、対応するチャプター位置から再生を開始させる操作ボタンが画面に配置されたメニューが提供されている場合がある（例えば、特許文献１参照）。
【特許文献１】特開平１１−６９２８４号公報
【０００３】
また、放送番組を録画した場合など、コンテンツにチャプターが設定されていない場合、例えば、ユーザの操作入力により所望の位置にチャプターを設定することができるようになされたり、シーンチェンジを検出して自動的にチャプターを設定することができるようになされたり、所定の時間間隔ごとに自動的にチャプターを設定することができるような技術も広く用いられている。
【０００４】
ユーザは、コンテンツ内の所望のチャプターを選択することにより、コンテンツ中の所望する部分を再生させることができるので、例えば、コンテンツ内に設定されている各チャプターから少しずつ再生させることにより、コンテンツ全体の内容を短い時間である程度把握したり、コンテンツ中の所望の箇所を探すために、コンテンツの最初からすべてを視聴するのではなく、チャプターを利用して、コンテンツの途中の所望の位置から再生を開始させるようにすることができる。
【発明の開示】
【発明が解決しようとする課題】
【０００５】
図１を用いて、例えば、ユーザが、チャプターが８つ設定されたコンテンツデータにおいて、チャプター５とチャプター６との間であって、チャプター６に近い位置に記録されているシーン１を探そうとした場合について説明する。
【０００６】
上述したように、ユーザが、コンテンツ中のある部分を再生させることを所望したとき、コンテンツ内の所望のチャプターを選択して、チャプター位置から再生を開始させることができる。例えば、図１のＡに示されるように、ユーザが、チャプター０から順番に、比較的短い時間だけを再生させて、所望のシーンを探そうとした場合、探そうとしているシーンが、図１のシーン１のように、次のチャプターに近い時間に記録されているとき、各チャプターからの再生時間が短ければ、所望のシーンを見落としてしまう可能性が高くなり、各チャプターからの再生時間が長ければ、所望のシーンを見つける可能性は高くなるが、所望のシーンを見つけるまでにかかる時間が長くなってしまう可能性も高くなってしまう。
【０００７】
そこで、ユーザが、コンテンツの最初からではなく、いずれかのチャプターを選択して、そこから再生を開始させ、所望のシーンを探そうとした場合について考える。選択されたチャプターと次のチャプターまでの間に所望のシーンがなく、図１のＢに示されるように、チャプター３を選択して、そこから再生を続け、チャプター５とチャプター６との間でシーン１を見つけた場合、ユーザが認識できるのは、チャプター３から所望のシーンまでにかかった再生時間であって、再生中に他のチャプターを通過していることを意識することはないため、所望の部分が見つかり、その部分の開始点に戻ろうとしても、ユーザは、どのチャプターから再生を開始するべきであるかがわからない。すなわち、従来のコンテンツ再生装置は、チャプターを再生開始ポイントとして利用していたに過ぎなかった。
【０００８】
また、ユーザがチャプターとチャプターとによって区切られた所望のシーンのみを繰り返し再生させるために、図１のシーン１の前後にチャプターを設定した場合であっても、従来のチャプターは、再生開始点としてしか指定できないため、シーン１の開始点として設定されたチャプターを選択して再生を開始させた後、シーン１が終了した時点で再生を停止し、再度、再生開始点のチャプターを選択して再生を指示する操作入力をしなければならなかった。
【０００９】
コンテンツに設定されたチャプターを有効に利用することにより、ユーザの多様なコンテンツ利用の要求にこたえることができるように、ユーザに煩雑な操作を行わせることなく、コンテンツを提示することが求められている。
【００１０】
本発明はこのような状況に鑑みてなされたものであり、チャプターを利用して、ユーザがよりわかりやすいようにコンテンツを提示することができるようにするものである。
【課題を解決するための手段】
【００１１】
本発明の情報処理装置は、ユーザの操作入力を取得する操作入力取得手段と、コンテンツデータに設定されたチャプターに関する情報の取得を制御するチャプター情報取得制御手段と、コンテンツデータに含まれるビデオデータの取得を制御するビデオデータ取得制御手段と、チャプター情報取得制御手段により取得が制御されたチャプターに関する情報、および、ビデオデータ取得制御手段により取得が制御されたビデオデータを基に、チャプターに対応するサムネイル画像を生成するサムネイル画像生成手段と、チャプター情報取得制御手段により取得が制御されたチャプターに関する情報、および、ビデオデータ取得制御手段により取得が制御されたビデオデータを基に、操作入力取得手段により取得されたユーザの操作入力により選択された第１のチャプターと第１のチャプターの次に設定された第２のチャプターとの間の区間の動画像の表示を制御する動画像データ表示制御手段と、サムネイル画像生成手段により生成されたサムネイル画像の表示を制御するサムネイル画像データ表示制御手段と、動画像データ表示制御手段により表示が制御される動画像と、サムネイル画像データ表示制御手段により表示が制御されるサムネイル画像とを同時に表示させるための第１の表示画面の表示を制御する表示画面制御手段とを備えることを特徴とする。
【００１２】
サムネイル画像データ表示制御手段には、ユーザにより選択された第１のチャプター以外のチャプターに対応するサムネイル画像の表示を制御させるようにすることができる。
【００１３】
表示画面制御手段には、動画像データ表示制御手段により表示が制御される動画像とサムネイル画像データ表示制御手段により表示が制御されるサムネイル画像とが、第１の表示画面において時系列に並んで配置されるように、第１の表示画面の表示を制御させるようにすることができる。
【００１４】
表示画面制御手段には、第１の表示画面に表示が制御される動画像とサムネイル画像とにおいて、動画像が端部以外に配置されて表示されるように、第１の表示画面の表示を制御させるようにすることができる。
【００１５】
操作入力取得手段により第１のチャプターの選択を変更するユーザの操作入力が取得された場合、動画像データ表示制御手段には、ユーザにより新たに選択された第１のチャプターと第２のチャプターとの間の区間の動画像の表示を制御させるようにすることができ、サムネイル画像データ表示制御手段には、ユーザにより新たに選択された第１のチャプター以外のチャプターに対応するサムネイル画像の表示を制御させるようにすることができ、表示画面制御手段には、動画像の表示位置が変更されないように、第１の表示画面の表示を制御させるようにすることができる。
【００１６】
表示画面制御手段には、動画像データ表示制御手段により表示が制御される動画像のみが全画面に表示される第２の表示画面の表示を更に制御させるようにすることができる。
【００１７】
チャプター情報取得制御手段の処理により取得が制御されたチャプターに関する情報に基づいて、第１のチャプターに関する情報の表示を制御するチャプター情報表示制御手段を更に備えさせるようにすることができる。
【００１８】
サムネイル画像生成手段には、コンテンツに対応するサムネイル画像データを更に生成させるようにすることができ、サムネイル画像データ表示制御手段には、サムネイル画像生成手段により生成されたコンテンツに対応するサムネイル画像データの表示を更に制御させるようにすることができ、表示画面制御手段には、サムネイル画像生成手段により生成されたコンテンツに対応するサムネイル画像データが表示される第２の表示画面の表示を更に制御させるようにすることができる。
【００１９】
コンテンツデータにチャプターを設定するチャプター設定手段を更に備えさせるようにすることができる。
【００２０】
本発明の情報処理方法は、動画像とサムネイル画像とを同時に表示させるための表示画面の表示を制御する表示画面制御ステップと、コンテンツデータに設定されたチャプターに関する情報の取得を制御するチャプター情報取得制御ステップと、チャプター情報取得制御ステップの処理により取得が制御されたチャプターに関する情報を基に、チャプターに対応するサムネイル画像を生成するサムネイル画像生成ステップと、サムネイル画像生成ステップの処理により生成されたサムネイル画像の表示画面への表示を制御するサムネイル画像データ表示制御ステップと、チャプター情報取得制御ステップの処理により取得が制御されたチャプターに関する情報を基に、コンテンツデータに含まれるビデオデータのうち、ユーザより選択された第１のチャプターと第１のチャプターの次に設定された第２のチャプターとの間の区間のビデオデータの取得を制御するビデオデータ取得制御ステップと、ビデオデータ取得制御ステップの処理により取得が制御されたビデオデータを基に、第１のチャプターと第２のチャプターとの間の区間の動画像の表示画面への表示を制御する動画像データ表示制御ステップとを含むことを特徴とする。
【００２１】
本発明の記録媒体に記録されているプログラムは、動画像とサムネイル画像とを同時に表示させるための表示画面の表示を制御する表示画面制御ステップと、コンテンツデータに設定されたチャプターに関する情報の取得を制御するチャプター情報取得制御ステップと、チャプター情報取得制御ステップの処理により取得が制御されたチャプターに関する情報を基に、チャプターに対応するサムネイル画像を生成するサムネイル画像生成ステップと、サムネイル画像生成ステップの処理により生成されたサムネイル画像の表示画面への表示を制御するサムネイル画像データ表示制御ステップと、チャプター情報取得制御ステップの処理により取得が制御されたチャプターに関する情報を基に、コンテンツデータに含まれるビデオデータのうち、ユーザより選択された第１のチャプターと第１のチャプターの次に設定された第２のチャプターとの間の区間のビデオデータの取得を制御するビデオデータ取得制御ステップと、ビデオデータ取得制御ステップの処理により取得が制御されたビデオデータを基に、第１のチャプターと第２のチャプターとの間の区間の動画像の表示画面への表示を制御する動画像データ表示制御ステップとを含むことを特徴とする処理をコンピュータに実行させる。
【００２２】
本発明のプログラムは、動画像とサムネイル画像とを同時に表示させるための表示画面の表示を制御する表示画面制御ステップと、コンテンツデータに設定されたチャプターに関する情報の取得を制御するチャプター情報取得制御ステップと、チャプター情報取得制御ステップの処理により取得が制御されたチャプターに関する情報を基に、チャプターに対応するサムネイル画像を生成するサムネイル画像生成ステップと、サムネイル画像生成ステップの処理により生成されたサムネイル画像の表示画面への表示を制御するサムネイル画像データ表示制御ステップと、チャプター情報取得制御ステップの処理により取得が制御されたチャプターに関する情報を基に、コンテンツデータに含まれるビデオデータのうち、ユーザより選択された第１のチャプターと第１のチャプターの次に設定された第２のチャプターとの間の区間のビデオデータの取得を制御するビデオデータ取得制御ステップと、ビデオデータ取得制御ステップの処理により取得が制御されたビデオデータを基に、第１のチャプターと第２のチャプターとの間の区間の動画像の表示画面への表示を制御する動画像データ表示制御ステップとを含むことを特徴とする処理をコンピュータに実行させる。
【００２３】
本発明の情報処理装置および情報処理方法、並びに、プログラムにおいては、コンテンツデータに設定されたチャプターに関する情報が取得され、チャプターに関する情報を基に、チャプターに対応するサムネイル画像が生成されて、生成されたサムネイル画像の表示が制御され、チャプターに関する情報を基に、コンテンツデータに含まれるビデオデータのうち、ユーザより選択された第１のチャプターと第１のチャプターの次に設定された第２のチャプターとの間の区間のビデオデータが取得され、取得されたビデオデータを基に、第１のチャプターと第２のチャプターとの間の区間の動画像の表示が制御され、動画像とサムネイル画像とが同時に表示される。
【発明の効果】
【００２４】
本発明によれば、チャプターに対応するサムネイル画像を表示させることができ、特に、チャプターに対応するサムネイル画像とともに、ユーザより選択された第１のチャプターと第１のチャプターの次に設定された第２のチャプターとの間の区間の動画像が表示されるので、チャプターを利用して、ユーザに煩雑な操作を行わせることなく、所望のシーンの検索や繰り返しの視聴に便利な方法で、コンテンツを提示することができる。
【発明を実施するための最良の形態】
【００２５】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。したがって、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２６】
更に、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２７】
請求項１に記載の情報処理装置（例えば、図２の記録再生装置１）は、ユーザの操作入力を取得する操作入力取得手段（例えば、図５の操作入力取得部８１）と、コンテンツデータに設定されたチャプターに関する情報の取得を制御するチャプター情報取得制御手段（例えば、図５の管理情報取得制御部８２）と、コンテンツデータに含まれるビデオデータの取得を制御するビデオデータ取得制御手段（例えば、図５のビデオデータ取得制御部８５）と、チャプター情報取得制御手段により取得が制御されたチャプターに関する情報、および、ビデオデータ取得制御手段により取得が制御されたビデオデータを基に、チャプターに対応するサムネイル画像を生成するサムネイル画像生成手段（例えば、図８６のサムネイル画像生成部８６）と、チャプター情報取得制御手段により取得が制御されたチャプターに関する情報、および、ビデオデータ取得制御手段により取得が制御されたビデオデータを基に、操作入力取得手段により取得されたユーザの操作入力により選択された第１のチャプターと第１のチャプターの次に設定された第２のチャプターとの間の区間の動画像の表示を制御する動画像データ表示制御手段（例えば、図５の動画像データ表示制御部１０３）と、サムネイル画像生成手段により生成されたサムネイル画像の表示を制御するサムネイル画像データ表示制御手段（例えば、図５のサムネイル画像表示制御部１０２）と、動画像データ表示制御手段により表示が制御される動画像と、サムネイル画像データ表示制御手段により表示が制御されるサムネイル画像とを同時に表示させるための第１の表示画面（例えば、図１１または図１２のチャプター表示画面２３１）の表示を制御する表示画面制御手段（例えば、図５のウィンドウ表示制御部１０１）とを備えることを特徴とする。
【００２８】
表示画面制御手段は、動画像データ表示制御手段により表示が制御される動画像のみが全画面に表示される第２の表示画面（例えば、図１５の表示画面３３１）の表示を更に制御することができる。
【００２９】
チャプター情報取得制御手段の処理により取得が制御されたチャプターに関する情報に基づいて、第１のチャプターに関する情報の表示を制御するチャプター情報表示制御手段（例えば、図５の関連情報表示制御部１０４）を更に備えることができる。
【００３０】
サムネイル画像生成手段は、コンテンツに対応するサムネイル画像データを更に生成することができ、サムネイル画像データ表示制御手段は、サムネイル画像生成手段により生成されたコンテンツに対応するサムネイル画像データの表示を更に制御することができ、表示画面制御手段は、サムネイル画像生成手段により生成されたコンテンツに対応するサムネイル画像データが表示される第２の表示画面（例えば、図９に示されるコンテンツ一覧表示画面１５１）の表示を更に制御することができる。
【００３１】
コンテンツデータにチャプターを設定するチャプター設定手段（例えば、図２のチャプター設定部３０）を更に備えることができる。
【００３２】
請求項１０に記載の情報処理方法は、動画像とサムネイル画像とを同時に表示させるための表示画面（例えば、図１１または図１２のチャプター表示画面２３１）の表示を制御する表示画面制御ステップ（例えば、図６のステップＳ９の処理）と、コンテンツデータに設定されたチャプターに関する情報の取得を制御するチャプター情報取得制御ステップ（例えば、図７のステップＳ１０の処理）と、チャプター情報取得制御ステップの処理により取得が制御されたチャプターに関する情報を基に、チャプターに対応するサムネイル画像を生成するサムネイル画像生成ステップ（例えば、図７のステップＳ１２の処理）と、サムネイル画像生成ステップの処理により生成されたサムネイル画像の表示画面への表示を制御するサムネイル画像データ表示制御ステップ（例えば、図７のステップＳ１４の処理）と、チャプター情報取得制御ステップの処理により取得が制御されたチャプターに関する情報を基に、コンテンツデータに含まれるビデオデータのうち、ユーザより選択された第１のチャプターと第１のチャプターの次に設定された第２のチャプターとの間の区間のビデオデータの取得を制御するビデオデータ取得制御ステップ（例えば、図７のステップＳ１６の処理）と、ビデオデータ取得制御ステップの処理により取得が制御されたビデオデータを基に、第１のチャプターと第２のチャプターとの間の区間の動画像の表示画面への表示を制御する動画像データ表示制御ステップ（例えば、図７のステップＳ１７の処理）とを含むことを特徴とする。
【００３３】
また、請求項１１に記載の記録媒体に記録されているプログラム、および、請求項１２に記載のプログラムにおいても、各ステップが対応する実施の形態（但し一例）は、請求項１０に記載の情報処理方法と同様である。
【００３４】
以下、図を参照して、本発明の実施の形態について説明する。
【００３５】
図２は、本発明を適用した記録再生装置１の構成を示すブロック図である。
【００３６】
ＣＰＵ１１は、記録再生装置１の全体の動作を制御するものであり、操作入力部１２により入力されるユーザの操作入力に基づいて、ＲＯＭ１３に記録されている所定のアプリケーションを読み出して、ＲＡＭ１４にロードさせて実行することができるようになされている。また、Flash ROM１５には、ＣＰＵ１１が実行する処理に必要な情報のうち、電源が切られたときも消去されない情報が保存される。
【００３７】
アンテナ１６は、放送波を受信し、受信された放送波をチューナ１７に供給する。チューナ１７は、受信された放送波から、ユーザの所望するチャンネルの放送波を選局し、選局されて得られた放送番組データを、スイッチ１９に供給する。入力端子１８は、例えば、ケーブルテレビジョン放送などの放送番組データの入力を受け、スイッチ１９に供給する。スイッチ１９は、チューナ１７により選局されて得られた放送番組データ、または、入力端子１８から入力された放送番組データをＮＴＳＣ（National TV Standards Committee）デコーダ２０に供給する。また、入力端子１８には、例えば、ＥＰＧ（Electronic Program Guide）などの情報が供給される場合もある。供給されたＥＰＧデータは、スイッチ１９、ＮＴＳＣデコーダ２０、ＭＰＥＧエンコーダ２１を介して（データの処理は、必要な場合にのみ実行されて）、ＣＰＵ１１に供給され、例えば、ユーザによる録画予約操作を補助するためなどに利用される。
【００３８】
ＮＴＳＣデコーダ２０は、供給された信号をＮＴＳＣ方式でデコードし、ＭＰＥＧエンコーダ２１に供給する。ＭＰＥＧエンコーダ２１は、供給されたデータを、ＭＰＥＧの規格（例えば、ＭＰＥＧ２、ＭＰＥＧ４など）に基づいた方式で圧縮符号化し、圧縮符号化された放送番組データをＨＤＤ２３のハードディスク、またはＤＶＤドライブ２４に装着されているＤＶＤに記録させるために、ドライブコントローラ２２に供給する。
【００３９】
ドライブコントローラ２２は、ＣＰＵ１１の制御に基づいて、供給されたデータを、ＨＤＤ２３またはＤＶＤドライブ２４に供給して、ハードディスクまたはＤＶＤに記録させたり、ＨＤＤ２３またはＤＶＤドライブ２４を駆動させて、ハードディスクまたはＤＶＤに記録されているデータのうち、ユーザの所望するデータを読み出す。
【００４０】
ＨＤＤ２３は、ハードディスクをドライブし、ドライブコントローラ２２から供給されたデータをハードディスクに記録したり、ハードディスクに記録されているデータを読み出して、ドライブコントローラ２２に供給する。
【００４１】
ＤＶＤドライブ２４は、装着されたＤＶＤをドライブし、ドライブコントローラ２２から供給されたデータをＤＶＤに記録したり、ＤＶＤに記録されているデータを読み出して、ドライブコントローラ２２に供給する。
【００４２】
ＭＰＥＧデコーダ２５は、ドライブコントローラ２２から、再生出力されるデータの供給を受け、ＭＰＥＧの規格（例えば、ＭＰＥＧ２、ＭＰＥＧ４など）に基づいた方式で供給されたデータのデコードを行い、映像信号は映像信号処理部２６に、音声信号は、音声信号処理部２８に、それぞれ供給する。
【００４３】
映像信号処理部２６は、ＭＰＥＧデコーダ２５によりデコードされた映像データの供給を受け、ＮＴＳＣフォーマットの信号に変換したり、Ｄ／Ａ変換するなどの所定の処理を施し、表示制御部２７に供給する。表示制御部２７は、ＣＰＵ１１の制御に基づいて、供給された映像信号の、例えばディスプレイや外部のモニタなどにおける表示を制御する。
【００４４】
音声信号処理部２８は、ＭＰＥＧデコーダ２５によりデコードされた音声データの供給を受け、ノイズ除去や増幅、Ｄ／Ａ変換などの所定の処理を行って、音声出力制御部２９に供給する。音声出力制御部２９は、ＣＰＵ１１の制御に基づいて、供給された音声信号のスピーカなどによる音声出力を制御する。
【００４５】
チャプター設定部３０は、予めチャプター（または、チャプターマーカー、マーカー、頭だし点、しおり設定点などとも称される）が設定されていないコンテンツデータにチャプターを設定する処理を実行する。チャプター設定部３０は、例えば、コンテンツデータのシーンチェンジを検出して、シーンチェンジが発生するポイントにチャプターを設定したり、所定時間ごとにチャプターを設定したり、ユーザの操作入力に従ってチャプターを設定する処理を実行する。
【００４６】
具体的には、チャプター設定部３０は、例えば、アンテナ１６およびチューナ１７の処理により得られる放送番組データや、ハードディスクまたはＤＶＤに記憶されているコンテンツデータに予めチャプターが設定されていない場合、上述したような方法によって設定されるコンテンツ内のチャプターの位置を示す、例えば、時刻情報やアドレス情報を含むチャプター情報を生成し、コンテンツデータと同一のファイル内に生成されたチャプター情報を記録させたり、コンテンツデータと別のファイルとして、対応するコンテンツデータと対応付けて記録させるために、生成されたチャプター情報を、ドライブコントローラ２２に供給し、ＨＤＤ２３に供給して、ハードディスクに記憶させたり、ＤＶＤドライブ２４に供給して、ＤＶＤに記憶させる。
【００４７】
次に、ハードディスクまたはＤＶＤに記憶されているコンテンツデータの一例について説明する。記録再生装置１に取得される、すなわち、アンテナ１６およびチューナ１７の処理により得られたり、入力端子１８から入力されたり、ＤＶＤドライバ２４に装着されたＤＶＤに記憶されているコンテンツデータは、予め、上述したチャプターが設定されているか、または、チャプター設定部３０の処理により、チャプターが設定されている。
【００４８】
コンテンツデータは、図３に示されるように、ストリームデータと管理情報から構成されている。
【００４９】
ストリームデータは、映像ストリームと音声ストリームとを含み、映像と音声が同期されて再生されるように、映像ストリームと音声ストリームにはタイムスタンプが付与されている。
【００５０】
管理情報には、コンテンツデータのタイトル、例えば、タイトルの供給元や、録画データである場合はタイトルの録画日時などのタイトルに付随する情報であるタイトル情報、および、上述したチャプターに関する情報であるチャプター情報が含まれている。
【００５１】
また、チャプター情報には、図４に示されるように、そのコンテンツの再生開始ポイント、再生終了ポイント、チャプター数、およびチャプタータイムスタンプの各情報が含まれている。再生開始ポイントおよび再生終了ポイントは、例えば、コンテンツ内の相対時刻情報として記載されるようにすることができる。チャプター数は、このコンテンツに設定されているチャプターの数を示す情報である。チャプタータイムスタンプは、このコンテンツに設定されているチャプターの位置を示す情報であり、例えば、コンテンツ内の相対時刻情報として記載されるようにすることができる
【００５２】
また、チャプターは、少なくとも、コンテンツの開始点に１つ設定されるものとすることができる。
【００５３】
図３および図４においては、チャプター情報をコンテンツデータと同一のファイル内に記録させる場合について説明しているが、チャプター情報は、コンテンツデータと別のファイルとして、対応するコンテンツデータと関連付けられて記録されるようにしてもよい。
【００５４】
記録再生装置１は、図３および図４を用いて説明したコンテンツデータを基に、ユーザに、再生可能なコンテンツを提示し、再生されるコンテンツの選択を受けたり、選択されたコンテンツを、チャプターを利用して通常再生とは異なる方法でユーザに提示することができる。具体的には、記録再生装置１は、ユーザに、再生可能なコンテンツを提示し、再生されるコンテンツの選択を受けるために、コンテンツデータ一覧表示画面を表示させて、ユーザからコンテンツを選択する操作入力を受けることができるとともに、ユーザからコンテンツが選択されて、チャプター表示機能の実行が指令されたとき、対応するコンテンツに設定されたチャプターをサムネイル画像と動画像を用いてユーザに提示するためのチャプター表示画面を表示させることができる。更に、記録再生装置１は、ユーザにより指定されたチャプターを再生開始点として、コンテンツデータを再生させたり、ユーザにより指定されたチャプターとその次のチャプターとで区切られるコンテンツデータの一部分を繰り返し再生させることができる。
【００５５】
記録再生装置１が、ユーザに、再生可能なコンテンツを提示し、再生されるコンテンツの選択を受けたり、選択されたコンテンツを、チャプターを利用して通常再生とは異なる方法でユーザに提示するための機能について、図５の機能ブロックを用いて説明する。なお、図５においては、記録再生装置１が有する機能のうちの一部であって、本発明に対応する機能に対応するブロックを図示している。すなわち、記録再生装置１は、これ以外にも、例えば、ユーザの操作入力に従って、ユーザが所望する放送番組を受信したり、受信した放送番組を録画したり、録画処理のための録画予約を行ったり、ハードディスクに記録されたコンテンツデータをＤＶＤに、または、ＤＶＤに記録されたコンテンツデータをハードディスクにダビングしたり、ダビング処理において、ユーザが所望する部分のみを選択的に編集したりする処理など、図５において図示されていない機能を有しても良いことは言うまでもない。
【００５６】
操作入力取得部８１は、図２を用いて説明した操作入力部１２を用いてユーザにより入力された操作入力を取得する。
【００５７】
管理情報取得制御部８２は、操作入力取得部８１により取得されたユーザの操作入力に基づいて、ハードディスクまたはＤＶＤに記録されている図３を用いて説明したコンテンツデータのうちの管理情報の取得を制御するものである。具体的には、操作入力取得部８１により、コンテンツ一覧表示画面の表示を指令する操作入力が取得された場合、管理情報取得制御部８２は、ハードディスクまたはＤＶＤに記録されている再生可能なコンテンツデータの管理情報のうち、コンテンツ一覧表示画面の表示に必要なタイトルおよびタイトル情報を取得し、操作入力取得部８１により、チャプター表示画面の表示を指令する操作入力が取得された場合、管理情報取得制御部８２は、ハードディスクまたはＤＶＤに記録されているユーザにより選択されたコンテンツデータの管理情報のうち、チャプター表示画面の表示に必要なチャプター情報を取得する。管理情報取得制御部８２は、取得された管理情報のうち、図４を用いて説明したチャプター情報のうちのチャプタータイムスタンプ情報を、チャプタータイムスタンプ情報保持部８３に、その他の情報を、関連情報保持部８４に、それぞれ供給する。
【００５８】
チャプタータイムスタンプ情報保持部８３は、管理情報取得制御部８２の処理により取得が制御されたチャプタータイムスタンプ情報を保持する。
【００５９】
関連情報保持部８４は、管理情報取得制御部８２の処理により取得が制御された、チャプタータイムスタンプ情報以外の管理情報を、コンテンツ管理情報として保持する。
【００６０】
ビデオデータ取得制御部８５は、操作入力取得部８１により取得されたユーザの操作入力に基づいて、ハードディスクまたはＤＶＤに記録されている図３を用いて説明したコンテンツデータのうちのビデオデータの取得を制御するものである。具体的には、操作入力取得部８１により、コンテンツ一覧表示画面の表示を指令する操作入力が取得された場合、ビデオデータ取得制御部８５は、ハードディスクまたはＤＶＤに記録されている再生可能なコンテンツデータのストリームデータに含まれるビデオデータのうち、コンテンツ一覧表示画面に表示させるサムネイル画像に対応するフレームの画像データ、すなわち、ビデオデータを構成するフレーム画像としての静止画像を取得し、サムネイル画像生成部８６に供給する。取得されるフレーム画像は、コンテンツの最初の１画面に対応するフレーム画像であっても良いし、ユーザにより設定されたフレームであっても良い。
【００６１】
また、操作入力取得部８１により、チャプター表示画面の表示を指令する操作入力が取得された場合、ビデオデータ取得制御部８５は、ハードディスクまたはＤＶＤに記録されている図３を用いて説明したコンテンツデータのストリームデータに含まれるビデオデータから、チャプタータイムスタンプ情報保持部８３により保持されているチャプタータイムスタンプに対応するフレームの画像データ、すなわち、ビデオデータを構成するフレーム画像としての静止画像を取得し、サムネイル画像生成部８６に供給するとともに、操作入力取得部８１から供給される、チャプター表示画面を参照したユーザにより選択されたチャプターを示す信号に基づいて、チャプタータイムスタンプ情報保持部８３により保持されているチャプタータイムスタンプのうち、ユーザに選択されたチャプターのタイムスタンプと、次のチャプターのタイムスタンプの情報を取得し、２つのチャプターの間のビデオデータの取得を制御して、動画像データ表示制御部８５に供給する。
【００６２】
更に、ビデオデータ取得制御部８５は、操作入力取得部８１から供給される、チャプター表示画面を参照したユーザにより、繰り返し再生させる区間の開始点として選択されたチャプターを示す信号に基づいて、チャプタータイムスタンプ情報保持部８３により保持されているチャプタータイムスタンプのうち、ユーザに選択されたチャプターのタイムスタンプと、次のチャプターのタイムスタンプの情報を取得し、２つのチャプターの間のビデオデータの取得を制御して、動画像データ表示制御部８５に供給したり、操作入力取得部８１から供給される、チャプター表示画面を参照したユーザにより、再生開始点として選択されたチャプターを示す信号に基づいて、チャプタータイムスタンプ情報保持部８３により保持されているチャプタータイムスタンプのうち、ユーザに選択されたチャプターのタイムスタンプを取得し、選択されたチャプター以降のビデオデータの取得を制御して、動画像データ表示制御部８５に供給する。
【００６３】
サムネイル画像生成部８６は、ビデオデータ取得制御部８５の処理により取得が制御されたフレーム画像データを基に、サムネイル画像データを生成し、ＧＵＩ表示制御部８７のサムネイル画像表示制御部１０２に供給する。
【００６４】
ＧＵＩ表示制御部８７は、表示制御部２７によるＧＵＩの表示を制御するものであり、ウィンドウ表示制御部１０１、サムネイル画像表示制御部１０２、動画像データ表示制御部１０３、および、関連情報表示制御部１０４で構成されている。
【００６５】
ウィンドウ表示制御部１０１は、上述したコンテンツ一覧表示画面およびチャプター表示画面や、それらのウィンドウにおいて表示されるコマンドボタンなどの表示を制御するものである。コンテンツ一覧表示画面およびチャプター表示画面や、それらのウィンドウにおいて表示されるコマンドボタンなどの詳細については、後述する。
【００６６】
サムネイル画像表示制御部１０２は、上述したコンテンツ一覧表示画面およびチャプター表示画面において表示されるサムネイル画像の表示を制御するものである。
【００６７】
動画像データ表示制御部１０３は、上述したチャプター表示画面において表示される動画像、チャプター表示画面を参照したユーザにより選択されたチャプターと次のチャプターとの間の区間の動画像、または、チャプター表示画面を参照したユーザにより選択されたチャプター以降の動画像の表示を制御するものである。
【００６８】
関連情報表示制御部１０４は、上述したコンテンツ一覧表示画面において表示されるコンテンツ関連情報、および、チャプター表示画面において表示されるチャプターの関連情報の表示を制御するものである。
【００６９】
次に、図６乃至図８のフローチャートを参照して、記録再生装置１の処理について説明する。
【００７０】
ステップＳ１において、管理情報取得制御部８２は、ハードディスクまたはＤＶＤに記録されている再生可能なコンテンツデータの管理情報のうち、コンテンツ一覧表示画面の表示に必要なタイトルおよびタイトル情報を取得し、関連情報保持部８４に供給する。ビデオデータ取得制御部８５は、ハードディスクまたはＤＶＤに記録されている再生可能なコンテンツデータのストリームデータに含まれるビデオデータのうち、コンテンツ一覧表示画面に表示させるサムネイル画像に対応するフレームの画像データ、すなわち、ビデオデータを構成するフレーム画像としての静止画像を取得し、サムネイル画像生成部８６に供給する。サムネイル画像生成部８６は、ビデオデータ取得制御部８５の処理により取得が制御されたフレーム画像データを基に、サムネイル画像データを生成し、ＧＵＩ表示制御部８７のサムネイル画像表示制御部１０２に供給する。ＧＵＩ表示制御部８７は、例えば、図９に示されるような、コンテンツ一覧表示画面１５１の表示を制御する。
【００７１】
コンテンツ一覧表示画面１５１には、再生可能なコンテンツのうち、ユーザにより選択された状態であるコンテンツに対応するサムネイル画像を表示するサムネイル画像表示エリア１７１、再生可能なコンテンツのうち、ユーザにより選択された状態ではないコンテンツに対応するサムネイル画像を表示するサムネイル画像表示エリア１７２−１およびサムネイル画像表示エリア１７２−２、ユーザにより選択された状態であるコンテンツのコンテンツ関連情報を表示するコンテンツ関連情報表示エリア１７３、ユーザの操作入力を受けるためのツールバー１８１、並びに、所定のオプションメニューウィンドウを表示させるためのメニュー表示ボタン１８２が備えられている。
【００７２】
コンテンツ一覧表示画面１５１の全体のレイアウト、並びに、ツールバー１８１およびメニュー表示ボタン１８２は、ＧＵＩ表示制御部１５１のウィンドウ表示制御部１０１により表示が制御され、サムネイル画像表示エリア１７１、サムネイル画像表示エリア１７２−１、および、サムネイル画像表示エリア１７２−２に表示されるサムネイル画像は、ＧＵＩ表示制御部１５１のサムネイル画像表示制御部１０２により表示が制御され、コンテンツ関連情報表示エリア１７３は、ＧＵＩ表示制御部１５１の関連情報表示制御部１０４により表示が制御される。
【００７３】
ユーザは、例えば、図示しないリモートコマンダなどを用いて、カーソルキーの上下移動を指令する操作入力などを行うことにより、コンテンツの選択を変更する、すなわち、サムネイル画像表示エリア１７１に表示されるサムネイル画像を変更することが可能となる。ここでは、サムネイル画像を縦に並べた場合を例として説明したが、サムネイル画像の並べ方は、例えば、横一列など、図９を用いて説明した場合と異なる形状であっても良いことは言うまでもない。
【００７４】
ステップＳ２において、操作入力取得部８１は、ユーザによるコンテンツの選択が変更されたか否かを判断する。
【００７５】
ステップＳ２において、ユーザによるコンテンツの選択が変更されたと判断された場合、ステップＳ３において、ＧＵＩ表示制御部１５１のサムネイル画像表示制御部１０２は、ユーザによるコンテンツの選択の変更に基づいて、ユーザにより選択されたコンテンツに対応するサムネイルデータをサムネイル画像表示エリア１７１に表示させるとともに、サムネイル画像表示エリア１７２−１、および、サムネイル画像表示エリア１７２−２に表示されるサムネイル画像を変更させ、ＧＵＩ表示制御部１５１の関連情報表示制御部１０４は、コンテンツ関連情報表示エリア１７３への選択されたコンテンツのコンテンツ情報の表示を制御する。
【００７６】
ステップＳ２において、ユーザによるコンテンツの選択が変更されていないと判断された場合、または、ステップＳ３の処理の終了後、ステップＳ４において、操作入力取得部８１は、ユーザによりメニュー表示ボタン１８２が選択されて、オプションメニューの表示が指令されたか否かを判断する。ステップＳ４において、オプションメニューの表示が指令されなかったと判断された場合、処理は、ステップＳ１に戻り、それ以降の処理が繰り返される。
【００７７】
ステップＳ４において、オプションメニューの表示が指令されたと判断された場合、ステップＳ５において、操作入力取得部８１は、ユーザによりメニュー表示ボタン１８２が選択されたことをＧＵＩ表示制御部８７に通知するので、ＧＵＩ表示制御部８７のウィンドウ表示制御部１０１は、コンテンツ一覧表示画面１５１において、図１０に示されるようなオプションメニュー１９１の表示を制御する。
【００７８】
オプションメニュー１９１には、例えば、並び順変更、再生、はじめから再生、チャプター表示、プロテクト・・・など、各種のオプションメニューの実行を指令するためのメニューが表示され、ユーザは、カーソル２０１を所望のメニューの位置にあわせて選択することにより、オプションメニュー１９１に表示されるメニューのうちの所望のものを指令することができる。
【００７９】
ステップＳ６において、操作入力取得部８１は、コンテンツ一覧表示画面１５１において、コンテンツが選択された状態で、オプションメニュー１９１からチャプター表示が指令されたか否かを判断する。
【００８０】
ステップＳ６において、コンテンツが選択された状態でチャプター表示が指令されていないと判断された場合、ステップＳ７において、操作入力取得部８１は、オプションメニュー１９１から他のメニューが選択されたか否かを判断する。
【００８１】
ステップＳ７において、他のメニューが選択されたと判断された場合、ステップＳ８において、メニューに沿った処理が実行される。ステップＳ７において、他のメニューが選択されていないと判断された場合、または、ステップＳ８の処理の終了後、処理は、ステップＳ５に戻り、それ以降の処理が繰り返される。
【００８２】
ステップＳ６において、コンテンツが選択された状態でチャプター表示が指令されたと判断された場合、ステップＳ９において、操作入力取得部８１は、コンテンツが選択された状態でチャプター表示が指令されたことを、管理情報取得制御部８２、ビデオデータ取得制御部８５、および、ＧＵＩ表示制御部８７に通知する。ＧＵＩ表示制御部８７は、図１１に示されるチャプター表示画面２３１の全体のレイアウト、並びに、ツールバー２６１およびメニュー表示ボタン２６２を表示させる。なお、チャプター表示画面２３１には、後述する処理により、サムネイル画像および動画像も表示されるが、その表示がなされるまでの間、それぞれの表示部分には、例えば、「ロード中」「表示準備中」などのメッセージや、表示準備中であることを示すイラストなどを表示しておくようにしても良い。
【００８３】
ステップＳ１０において、管理情報取得制御部８２は、ハードディスクまたはＤＶＤに記録されている選択されたコンテンツデータの管理情報のうち、チャプター表示画面の表示に必要なチャプター情報を取得し、チャプタータイムスタンプ情報をチャプタータイムスタンプ情報保持部８３に、その他の情報を関連情報保持部８４に供給する。
【００８４】
ステップＳ１１において、チャプタータイムスタンプ情報保持部８３および関連情報保持部８４は、管理情報取得制御部８２により取得されたチャプタータイムスタンプ情報と関連情報とをそれぞれ保持する。
【００８５】
ステップＳ１２において、ビデオデータ取得制御部８５は、チャプタータイムスタンプ情報保持部８３に保持されたチャプタータイムスタンプ情報を参照し、ハードディスクまたはＤＶＤに記録されている選択されたコンテンツデータのストリームデータに含まれるビデオデータのうち、チャプター表示画面に表示させる、各チャプターの先頭部分のフレームの画像データ、すなわち、ビデオデータを構成するフレーム画像としての静止画像を取得し、サムネイル画像生成部８６に供給する。サムネイル画像生成部８６は、ビデオデータ取得制御部８５の処理により取得が制御されたフレーム画像データを基に、図１１に示されるチャプター表示画面２３１のサムネイル画像表示エリア２５２に表示されるサムネイル画像データを生成し、ＧＵＩ表示制御部８７のサムネイル画像表示制御部１０２に供給する。
【００８６】
ステップＳ１３において、関連情報表示制御部１０４は、関連情報保持部８４により保持されている、それぞれのチャプターの関連情報を取得し、図１１に示されるチャプター表示画面２３１のチャプター関連情報表示エリア２５３に表示させるチャプター関連データを生成する。
【００８７】
ステップＳ１４において、サムネイル画像表示制御部１０２は、図１１に示されるチャプター表示画面２３１のサムネイル画像表示エリア２５２へのサムネイル画像の表示を制御する。
【００８８】
ステップＳ１５において、ビデオデータ取得制御部８５は、チャプタータイムスタンプ情報保持部８３に保持されたチャプタータイムスタンプ情報を参照し、図１１に示されるチャプター表示画面２３１の動画像表示エリア２５１に配置されるチャプターとその次のチャプターのタイムスタンプを取得する。コンテンツが選択されてチャプター表示が指令された時点においては、チャプター表示画面２３１の動画像表示エリア２５１には、そのコンテンツの先頭のチャプターと、２番目のチャプターとの間の区間の動画像が表示されるので、ビデオデータ取得制御部８５により、そのコンテンツの先頭のチャプターと、２番目のチャプターとのタイムスタンプが取得される。
【００８９】
ステップＳ１６において、ビデオデータ取得制御部８５は、ステップＳ１５の処理により取得された２つのタイムスタンプを基に、ハードディスクまたはＤＶＤに記録されている選択されたコンテンツデータのストリームデータに含まれるビデオデータのうち、図１１に示されるチャプター表示画面２３１の動画像表示エリア２５１に配置される動画像に対応するビデオデータを取得し、動画像データ表示制御部１０３に供給する。
【００９０】
ステップＳ１７において、動画像データ表示制御部１０３は、供給されたビデオデータの、図１１に示されるチャプター表示画面２３１の動画像表示エリア２５１への表示を制御する。コンテンツが選択されてチャプター表示が指令された時点においては、チャプター表示画面２３１の動画像表示エリア２５１には、そのコンテンツの先頭のチャプターと、２番目のチャプターとで区切られる区間の動画像が繰り返し表示される。また、音声出力制御部２９は、ＣＰＵ１１の制御に基づいて、チャプター表示画面２３１の動画像表示エリア２５１に表示されている動画像に同期させて、音声出力を行うようにしても良い。また、チャプター表示画面２３１の動画像表示エリア２５１に表示されている動画像に同期した音声を出力させるか、音声出力を行わないようにするかを、ユーザにより設定可能なようにしても良い。
【００９１】
すなわち、ステップＳ１０乃至ステップＳ１７の処理により、ＧＵＩ表示制御部８７は、図１１に示されるような、チャプター表示画面２３１の表示を制御する。チャプター表示画面２３１には、チャプター表示が指令されたコンテンツデータにおいて、チャプターで区切られたそれぞれの区間のうち、ユーザにより選択された区間の動画像を繰り返し表示させる動画像表示エリア２５１、動画像表示エリア２５１に動画像が表示されている区間の前後のチャプターに対応するサムネイル画像を表示するサムネイル画像表示エリア２５２（図１１においては、サムネイル画像表示エリア２５２−１乃至サムネイル画像表示エリア２５２−３の３つのサムネイル画像表示エリアにサムネイル画像が表示されている）、ユーザにより選択された区間の先頭に設定されているチャプターの関連情報を表示するチャプター関連情報表示エリア２５３、ユーザの操作入力を受けるためのツールバー２６１、並びに、所定のオプションメニューウィンドウを表示させるためのメニュー表示ボタン２６２が備えられている。
【００９２】
ユーザにより選択された区間の先頭に設定されているチャプターの関連情報を表示するチャプター関連情報表示エリア２５３には、例えば、先頭から何番目のチャプターであるかを示す情報（図１１においては、チャプター１と表示されている）、コンテンツ内のチャプター数（図１１においては、（１８）と表示されている）、記録年月日（図１１においては、０４／０５／３１と表示されている）、および、動画像表示エリア２５１に表示されている動画像の区間の先頭のチャプターの時刻情報（図１１においては、００:００:００と表示されている）などのチャプター関連情報が表示されている。
【００９３】
チャプター表示画面２３１の全体のレイアウト、並びに、ツールバー２６１およびメニュー表示ボタン２６２は、ＧＵＩ表示制御部１５１のウィンドウ表示制御部１０１により表示が制御され、動画像表示エリア２５１に表示される、ユーザにより選択された区間の動画像は、ＧＵＩ表示制御部１５１の動画像データ表示制御部１０３により表示が制御され、サムネイル画像表示エリア２５２に表示されるサムネイル画像は、ＧＵＩ表示制御部１５１のサムネイル画像表示制御部１０２により表示が制御され、チャプター関連情報表示エリア２５３は、ＧＵＩ表示制御部１５１の関連情報表示制御部１０４により表示が制御される。
【００９４】
ユーザは、例えば、リモートコマンダなどを用いて、カーソルキーの上下移動を指令する操作入力などを行うことにより、チャプターの選択、すなわち、チャプターとチャプターとによって区切られた区間の選択を変更して、チャプター表示画面２３１の動画像表示エリア２５１に表示される動画像と、サムネイル画像表示エリア２５２に表示されるサムネイル画像を変更することが可能となる。
【００９５】
なお、ここでは、サムネイル画像と動画像の表示位置を、それぞれ、画面右側よりに縦に配置し、動画像の表示位置を、画面の中央右側とするものとして説明したが、サムネイル画像と動画像の表示位置を、例えば、横向きに連続して配置するなどしても良いし、動画像表示エリア２５１とチャプター関連情報表示エリア２５３との位置関係を変更したり、サムネイル画像の表示数を変更するようにしても良いことは言うまでもない。
【００９６】
ステップＳ１８において、操作入力取得部８１は、ユーザによって、チャプターに対応するサムネイル画像および動画像の配置の変更が指令されたか否かを判断する。
【００９７】
ステップＳ１８において、チャプターに対応するサムネイル画像および動画像の配置の変更が指令されたと判断された場合、ステップＳ１９において、ＧＵＩ表示制御部１５１のサムネイル画像表示制御部１０２および動画像データ表示制御部１０３は、ユーザによる配置の変更の指令を基に、サムネイル画像表示エリア２５２および動画像表示エリア２５１に表示されているサムネイル画像および動画像の表示を更新し、関連情報表示制御部１０４は、動画表示エリア２５１に表示されている区間の先頭に設定されているチャプターに対応するチャプター情報をチャプター関連情報表示エリア２５３に表示させる。
【００９８】
例えば、ユーザがリモートコマンダなどを用いて、ステップＳ１９の処理により、図１１のサムネイル画像表示エリア２５２−３に表示されているサムネイル画像に対応するチャプターと次のチャプターとの間の区間を、動画像表示エリア２５１により表示される区間として選択する操作入力を行った場合、チャプター表示画面２３１は、図１２に示されるように表示される。
【００９９】
図１２において、チャプター表示画面２３１には、図１１を用いて説明した以外に、動画像表示エリア２５１に表示される動画像の区間より時間的に前のチャプターに対応するサムネイル画像が表示されるサムネイル画像表示エリア２５２−４乃至サムネイル画像表示エリア２５２−６が設けられており、図１１において動画像表示エリア２５１に表示されていた動画像に対応するチャプターのサムネイル画像がチャプター表示エリア２５２−４に表示され、サムネイル画像表示エリア２５２−１に表示されていたサムネイル画像がチャプター表示エリア２５２−５に表示され、サムネイル画像表示エリア２５２−２に表示されていたサムネイル画像がチャプター表示エリア２５２−６に表示され、サムネイル画像表示エリア２５２−３に表示されていたサムネイル画像に対応するチャプターと次のチャプターとの間の区間の動画像が動画像表示エリア２５１に表示され、続くチャプターに対応するサムネイル画像が、サムネイル画像表示エリア２５２−１乃至サムネイル画像表示エリア２５２−３に表示されている。すなわち、図１２においては、サムネイル画像表示エリア２５２−４乃至サムネイル画像表示エリア２５２−６には、チャプター１乃至チャプター３に対応するサムネイル画像がそれぞれ表示され、動画像表示エリア２５１には、チャプター４に対応する動画像が表示され、サムネイル画像表示エリア２５２−１乃至サムネイル画像表示エリア２５２−３には、チャプター５乃至チャプター７に対応するサムネイル画像がそれぞれ表示されるので、チャプター表示画面２３１上には、画面上方から時系列に連続するチャプターに対応するサムネイル画像または動画像が表示される。
【０１００】
ユーザは、動画像表示エリア２５１に繰り返し表示される動画像により、所望の部分の映像を確認することができるとともに、その近辺のチャプターに対応するサムネイル画像を確認し、必要に応じて、他のチャプターに対応する部分の動画像を動画像表示エリア２５１に繰り返し表示させるような操作入力を行うようことができる。そして、チャプター関連情報表示エリア２５３には、ユーザにより選択された区間の先頭に設定されているチャプター４の関連情報が表示される。
【０１０１】
ユーザにより選択された区間の先頭に設定されているチャプターの関連情報を表示するチャプター関連情報表示エリア２５３には、例えば、先頭から何番目のチャプターであるかを示す情報（図１２においては、チャプター４と表示されている）、コンテンツ内のチャプター数（図１２においては、（１８）と表示されている）、記録年月日（図１２においては、０４／０５／３１と表示されている）、および、動画像表示エリア２５１に表示されている動画像の区間の先頭のチャプターの時刻情報（図１２においては、００:２６:２２と表示されている）などのチャプター関連情報が表示されている。
【０１０２】
なお、１つの画面に表示可能なサムネイル画像の数は、図１２に図示した以外の数であってもかまわないことは言うまでもない。
【０１０３】
ステップＳ１９の処理の終了後、処理は、ステップＳ１８に戻り、それ以降の処理が繰り返される。
【０１０４】
ステップＳ１８において、チャプターに対応するサムネイル画像および動画像の配置の変更が指令されていないと判断された場合、ステップＳ２０において、操作入力取得部８１は、ユーザによりメニュー表示ボタン２６２が選択されて、オプションメニューの表示が指令されたか否かを判断する。
【０１０５】
ステップＳ２０において、オプションメニューの表示が指令されていないと判断された場合、ステップＳ２１において、操作入力取得部８１は、ユーザにより、図示しないリモートコマンダの「戻る」ボタン、または、ツールバー２６１の「戻る」ボタンが選択されたか否かを判断する。
【０１０６】
ステップＳ２１において、「戻る」ボタンが選択されていないと判断された場合、処理は、ステップＳ１８に戻り、それ以降の処理が繰り返される。ステップＳ２１において、「戻る」ボタンが選択されたと判断された場合、処理は、ステップＳ１に戻り、それ以降の処理が繰り返される。
【０１０７】
ステップＳ２０において、オプションメニューの表示が指令されたと判断された場合、ステップＳ２２において、操作入力取得部８１は、ユーザによりメニュー表示ボタン２６２が選択されたことをＧＵＩ表示制御部８７に通知するので、ＧＵＩ表示制御部８７のウィンドウ表示制御部１０１は、チャプター表示画面２３１において、図１３に示されるようなオプションメニュー２８１の表示を制御する。オプションメニュー２８１には、全画面で、選択されているチャプター以降連続して再生させる場合に選択される「ここから再生」ボタン２９１と、全画面で、選択されているチャプターの区間のみを繰り返して再生させる場合に選択される「ここだけ再生」ボタン２９２とが設けられている。
【０１０８】
ステップＳ２３において、操作入力取得部８１は、ユーザにより「ここから再生」ボタン２９１が選択されて、「ここから再生」が指令されたか否かを判断する。
【０１０９】
ステップＳ２３において、「ここから再生」が指令されたと判断された場合、ステップＳ２４において、操作入力取得部８１は、「ここから再生」が指令されたことを、ＧＵＩ表示制御部８７およびビデオデータ取得制御部８５に通知する。ビデオデータ取得制御部８５は、チャプタータイムスタンプ情報保持部８３に保持されているチャプタータイムスタンプ情報から、選択中のチャプターのチャプタータイムスタンプを取得する。
【０１１０】
ステップＳ２５において、ビデオデータ取得制御部８５は、取得されたタイムスタンプ以降のビデオデータを取得し、動画像データ表示制御部１０３に順次供給する。ＧＵＩ表示制御部８７のウィンドウ表示制御部１０１は、表示画面が、チャプター表示画面２３１から全画面の動画表示用に変更するように、画面の表示を制御し、動画像データ表示制御部１０３は、供給された動画像データの表示を制御する。これらの処理とともに、表示される動画像と同期した音声データが音声出力制御部２９の処理により出力されるので、ユーザにより選択されたチャプター以降の映像が通常再生される。
【０１１１】
図１４に、通常再生時の表示画面３０１を示す。表示画面３０１には、通常再生表示であることをユーザに認識させるための再生画表示マーク３１１が表示される。また、通常再生時の表示画面３０１には、再生箇所が対応するコンテンツにおいてどの位置にあるのかをユーザに認識させるためのプログレスバー３１２を表示させるようにしても良く、プログレスバー３１２に対応させて、それぞれのチャプターの位置を示すチャプターポイント３１３を表示させるようにしても良い。例えば、図１３に示されるように、チャプター４とチャプター５との間の区間の動画が動画表示エリア２５１に表示されている状態で、「ここから再生」ボタン２９１が選択されたとき、図１４に示されるように、プログレスバー３１２の右端から４つ目のチャプターポインタ３１３の位置まで、所定の色のバーが表示されるようになされる。
【０１１２】
ステップＳ２６において、操作入力取得部８１は、ユーザにより、図示しないリモートコマンダの「戻る」ボタンが選択されたか否かを判断する。
【０１１３】
ステップＳ２６において、「戻る」ボタンが選択されていないと判断された場合、処理は、ステップＳ２５に戻り、それ以降の処理が繰り返される。ステップＳ２６において、「戻る」ボタンが選択されたと判断された場合、処理は、ステップＳ１８に戻り、それ以降の処理が繰り返される。
【０１１４】
ステップＳ２３において、「ここから再生」が指令されていないと判断された場合、ステップＳ２７において、操作入力部８１は、ユーザにより「ここだけ再生」ボタン２９２が選択されて、「ここだけ再生」が指令されたか否かを判断する。
【０１１５】
ステップＳ２７において、「ここだけ再生」が指令されていないと判断された場合、ステップＳ２８において、操作入力部８１は、ユーザによりオプションメニューの表示の消去が指令されたか否かを判断する。ステップＳ２８において、オプションメニューの表示の消去が指令されたと判断された場合、処理は、ステップＳ２１に戻り、それ以降の処理が繰り返される。ステップＳ２８において、オプションメニューの表示の消去が指令されていないと判断された場合、処理は、ステップＳ２３に戻り、それ以降の処理が繰り返される。
【０１１６】
ステップＳ２７において、「ここだけ再生」が指令されたと判断された場合、ステップＳ２９において、操作入力取得部８１は、「ここだけ再生」が指令されたことを、ＧＵＩ表示制御部８７およびビデオデータ取得制御部８５に通知する。ビデオデータ取得制御部８５は、チャプタータイムスタンプ情報保持部８３に保持されているチャプタータイムスタンプ情報から、選択中のチャプターと次のチャプターのチャプタータイムスタンプを取得する。
【０１１７】
ステップＳ３０において、ビデオデータ取得制御部８５は、取得された２つのタイムスタンプ間のビデオデータを取得し、動画像データ表示制御部１０３に供給する。ＧＵＩ表示制御部８７のウィンドウ表示制御部１０１は、表示画面が、チャプター表示画面２３１から全画面の動画表示用に変更するように、画面の表示を制御し、動画像データ表示制御部１０３は、供給された動画像データの表示を制御する。これらの処理とともに、表示される動画像と同期した音声データが音声出力制御部２９の処理により出力されるので、ユーザにより選択されたチャプターと次のチャプターとの間の区間の映像が繰り返して再生される。
【０１１８】
図１５に、ユーザにより選択されたチャプターと次のチャプターとの間の区間の繰り返し再生時の表示画面３３１を示す。表示画面３３１には、繰り返し再生表示であることをユーザに認識させるためのチャプターリピート再生表示マーク３４１が表示される。また、繰り返し再生時の表示画面３３１には、再生箇所が対応する区間においてどの位置にあるのかをユーザに認識させるためのプログレスバー３４２を表示させるようにしても良い。なお、表示画面３３１において表示されるのは、ユーザにより選択されたチャプターと次のチャプターとの間の区間の映像であるので、図１４に表示されていたようなチャプターポイントは表示されない。
【０１１９】
すなわち、図１６に示されるように「ここから再生」は、ユーザにより選択されたチャプターを再生開始位置として指定するものであるのに対して、「ここだけ再生」は、ユーザにより選択されたチャプターと次のチャプターとの間の１区間のみを繰り返して再生させるものである。「ここだけ再生」は、動画像表示エリア２５１において表示される区間と同一の区間を全画面で繰り返し表示するものである。
【０１２０】
ステップＳ３１において、操作入力取得部８１は、ユーザにより、図示しないリモートコマンダの「戻る」ボタンが選択されたか否かを判断する。
【０１２１】
ステップＳ３２において、「戻る」ボタンが選択されていないと判断された場合、処理は、ステップＳ３０に戻り、それ以降の処理が繰り返される。ステップＳ３２において、「戻る」ボタンが選択されたと判断された場合、処理は、ステップＳ１８に戻り、それ以降の処理が繰り返される
【０１２２】
このような処理により、コンテンツデータに設定されているチャプターに基づいて、チャプターに対応するサムネイル画像とともに、所定のチャプター間の映像を繰り返して再生させるようにすることができるので、ユーザは、サムネイル画像と動画像の両方を参照して、所望のチャプターを再生開始位置として選択し、そのチャプターから通常再生させたり、そのチャプターと次のチャプターとの間の区間を繰り返して再生させるようにすることができる。
【０１２３】
これにより、ユーザは、所望のシーンがチャプターのポイントからずれている場合などにおいても、短い時間で、所望のシーンがいずれのチャプターとチャプターとの間に存在するかを探し出すことが可能となる。また、本発明を適用した記録再生装置１においては、例えば、ゴルフのスイングや英会話の練習の１シーンなど、ユーザが繰り返して確認したいシーンの前後にチャプターを設定することにより、ユーザは、複雑な操作入力を行うことなく、所望のシーンを繰り返し確認することが可能となる。
【０１２４】
すなわち、本発明を適用することにより、ユーザに煩雑な操作を行わせることなく、所望のシーンの検索や繰り返しの視聴に便利な方法で、コンテンツを提示することが可能となる。
【０１２５】
また、図１２および図１３を用いて説明したチャプター表示画面２３１においては、ユーザにより選択された区間の動画像が繰り返して表示され、必要に応じて対応する音声データが出力されるので、ユーザは、その区間の内容を充分理解することが可能であり、更に、その前後のチャプターのサムネイルを同時に参照することができるので、複数のシーンに対応するサムネイル画像が１画面に表示されている場合、または、ユーザにより選択された所定のシーン以降の動画像を全画面で再生することしかできない場合と比較して、コンテンツ内の所望のシーンをできるだけ時間をかけずに検索したり、短い時間でコンテンツの全容を大まかに理解したりすることが可能となる。
【０１２６】
このように、本発明においては、コンテンツに設定されたチャプターを有効に利用することにより、ユーザに煩雑な操作を行わせることなく、これまでになかった表示方法でユーザにコンテンツを提示することができる。
【０１２７】
以上の説明においては、コンテンツの記録および再生が可能な記録再生装置１を例として説明したが、本発明は、コンテンツの記録と再生の両方の機能を有する装置のみならず、コンテンツを再生する機能を有するものにおいて適用可能であることは言うまでもない。
【０１２８】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１２９】
この記録媒体は、図２に示すように、コンピュータとは別に、ユーザにプログラムを提供するために配布される、プログラムが記録されている磁気ディスク４１（フレキシブルディスクを含む）、光ディスク４２（CD-ROM（Compact Disk-Read Only Memory），ＤＶＤ（Digital Versatile Disk）を含む）、光磁気ディスク４３（ＭＤ（Mini-Disk)（商標）を含む）、もしくは半導体メモリ４４などよりなるパッケージメディアなどにより構成される。
【０１３０】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１３１】
【図１】チャプターを利用した従来の再生処理について説明するための図である。
【図２】本発明を適用した記録再生装置の構成を示すブロック図である。
【図３】コンテンツデータの構成について説明するための図である。
【図４】チャプター情報の構成について説明するための図である。
【図５】チャプターを利用した表示処理を行う機能について説明するための機能ブロック図である。
【図６】本発明を適用した記録再生装置が実行する処理について説明するためのフローチャートである。
【図７】本発明を適用した記録再生装置が実行する処理について説明するためのフローチャートである。
【図８】本発明を適用した記録再生装置が実行する処理について説明するためのフローチャートである。
【図９】コンテンツ一覧表示画面について説明するための図である。
【図１０】コンテンツ一覧表示画面のオプションメニューについて説明するための図である。
【図１１】チャプター表示画面について説明するための図である。
【図１２】チャプター表示画面について説明するための図である。
【図１３】チャプター表示画面のオプションメニューについて説明するための図である。
【図１４】通常再生時の表示画面について説明するための図である。
【図１５】ユーザにより選択されたチャプターと次のチャプターとの間の区間の繰り返し再生時の表示画面について説明するための図である。
【図１６】通常再生と繰り返し再生の違いについて説明するための図である。
【符号の説明】
【０１３２】
１  記録再生装置，  １１  ＣＰＵ，  １２  操作入力部，  ２３  ＨＤＤ，  ２４  ＤＶＤドライブ，  ２７  表示制御部，  ３０  チャプター設定部，  ８１  操作入力取得部，  ８２  管理上法主と気宇制御部，  ８３  チャプタータイムスタンプ情報保持部，  ８４  関連情報保持部，  ８５  ビデオデータ取得制御部，  ８６  サムネイル画像生成部，  ８７  ＧＵＩ表示制御部，  １０１  ウィンドウ表示制御部，  １０２  サムネイル画像表示制御部，  １０３  動画像データ表示制御部，  １０４  関連情報表示制御部，  １５１  コンテンツ一覧表示画面，  １７１，１７２  サムネイル画像表示エリア，  １７３  コンテンツ関連情報表示エリア，  １８２  メニュー表示ボタン，  １９１  オプションメニュー，  ２３１  チャプター表示画面，  ２５１  動画像表示エリア，  ２５２  サムネイル画像表示エリア，  ２５３  チャプター関連情報表示エリア，  ２６２  メニュー表示ボタン，  ２８１  オプションメニュー，  ２９１  「ここから再生」ボタン，  ２９２  「ここだけ再生」ボタン，  ３０１，３３１  表示画面
【図１】
2006086612.tif 000003
【図２】
2006086612.tif 000004
【図３】
2006086612.tif 000005
【図４】
2006086612.tif 000006
【図５】
2006086612.tif 000007
【図６】
2006086612.tif 000008
【図７】
2006086612.tif 000009
【図８】
2006086612.tif 000010
【図９】
2006086612.tif 000011
【図１０】
2006086612.tif 000012
【図１１】
2006086612.tif 000013
【図１２】
2006086612.tif 000014
【図１３】
2006086612.tif 000015
【図１４】
2006086612.tif 000016
【図１５】
2006086612.tif 000017
【図１６】
2006086612.tif 000018